(57)【要約】【課題】点消火ボタンの周囲にリング状の火力調節ダイヤルを設けたガス制御装置に、部品点数を増やすことなくチャイルドロック機構を設ける場合に、簡単にチャイルドロックを解除できないようにする。【解決手段】点消火ボタン５の閉弁位置で、火力調節ダイヤル７をガス流量調節範囲を越えて回転自在とし、このガス流量調節範囲を越えた所定の位置にガスバーナの点火手段が作動しないロック位置を設ける。少なくともロック位置から火力調節ダイヤルを回転させる場合、火力調節ダイヤルを一旦前後方向に移動させないと回転できないようにする。【選択図】  図１５
2004333049.tif 000002
【特許請求の範囲】
【請求項１】
ガスバーナに通じるガス通路を開放保持する開弁位置とこのガス通路を閉鎖する閉弁位置との間で前後方向に移動自在な点消火ボタンを備え、この点消火ボタンの開弁位置で、最小ガス流量の燃料ガスがガスバーナに供給される最小位置と、最大ガス流量の燃料ガスがガスバーナに供給される最大位置との間の少なくともガス流量調節範囲内で回転自在なリング状の火力調節ダイヤルを点消火ボタンの周囲に設けたガス制御装置において、
前記点消火ボタンの閉弁位置で、前記火力調節ダイヤルを前記ガス流量調節範囲を越えて回転自在とし、このガス流量調節範囲を越えた所定の位置にガスバーナの点火手段が作動しないロック位置を設け、少なくともロック位置から火力調節ダイヤルを回転させる場合、火力調節ダイヤルを一旦前後方向に移動させないと回転できないようにしたことを特徴とするガス制御装置。
【請求項２】
前記点消火ボタンの閉弁位置から開弁位置への移動経路に、ガスバーナの点火手段を作動させる点火位置を設け、前記ロック位置で、点消火ボタンの閉弁位置から点火位置への移動が制限されるようにしたことを特徴とする請求項１記載のガス制御装置。
【請求項３】
前記ロック位置で、閉弁位置にある点消火ボタンに対し火力調節ダイヤルが前後方向にずれた状態になるようにしたことを特徴とする請求項１または請求項２記載のガス制御装置。
【請求項４】
前記点消火ボタンの閉弁位置で、点消火ボタン及び火力調節ダイヤルの前方側の端面を略面一とし、ロック位置で、点消火ボタンが火力調節ダイヤルの前方側に突出することを特徴とする請求項３記載のガス制御装置。
【請求項５】
前記点消火ボタンの押込み操作で閉弁位置から開弁位置に移動するようにし、開弁位置で点消火ボタンが、火力調節ダイヤル内に侵入することを特徴とする請求項４記載のガス制御装置。
【発明の詳細な説明】
【０００１】
【発明の属する技術分野】
本発明は、例えばガスコンロに設けたガスバーナへの燃料ガスの供給を制御するガス制御装置に関する。
【０００２】
【従来の技術】
この種のガス制御装置では、ガスバーナを点火する際、ガスバーナの火力を所定火力にするため、ガスバーナの点火、消火を行う点消火ボタンと、ガスバーナへの燃料ガス供給量を調節する火力調節ダイヤルとをそれぞれ設け、点消火ボタンの前後方向の移動で火力調節ダイヤルが所定位置まで回転されるようにしたものが知られている（特許文献１）
【０００３】
この場合、点消火ボタンは、円筒形状に形成され、例えばガスコンロ前面の操作パネルに前後方向に移動自在に設けられる。そして、ガス通路を閉鎖する閉弁位置から点消火ボタンを押込み操作すると、点消火ボタンが点火位置に移動し、ガス通路が開放されると共にガスバーナの点火手段が作動される。ガスバーナが着火したことを確認して点消火ボタンの押込みを開放すると、点消火ボタンは、操作パネルから突出して開弁位置に移動する。
【０００４】
開弁位置では、ガスバーナの火力調節が点消火ボタンの周囲に設けたリング状の火力調節ダイヤルによって行われる。火力調節ダイヤルは、ガス通路に設けられガス通路の開口面積を変化させてガスバーナへの燃料ガスのガス流量を調節するガス流量調節手段と連動している。ガスバーナの燃焼を停止する場合、開弁位置に在る点消火ボタンを押込み操作して閉弁位置まで移動させると、ガス通路が閉鎖されてガスバーナが消火される。この場合、点消火ボタンの押込み操作に連動して火力調節ダイヤルを強火位置まで強制的に回転させて次回の点火操作時にガスバーナへのガス流量を多くして円滑な着火を図るためのリセット手段が設けられている。
【０００５】
【特許文献１】
特許２７４２３５６号公報（例えば、特許請求の範囲の記載）
【０００６】
【発明が解決しようとする課題】
ところで、近年では、安全性を考慮して子供等が点消火ボタンを誤って操作してガスバーナが作動しないようにチャイルドロック機構を設け、閉弁位置において、点消火ボタンの点火位置への移動を制限し、点火手段が作動しないようにすることが考えられている。この場合、上記のものでは、リセット手段を設けて次回の点火操作に備えた強火位置に火力調節ダイヤルを設定しているため、点消火ボタンの閉弁位置において火力調節ダイヤルを回転させることができない。このため、別個のチャイルドロック機構を設けてチャイルドロックを実現する必要があり、点火操作の際の操作性が損なわれるだけではなく、部品点数が増加してコスト高を招く。
【０００７】
そこで、本発明は、上記点に鑑み、チャイルドロック機構用の別個の操作部を設けることなく、火力調節ダイヤルでチャイルドロックできるようにしたガス制御装置を提供することを課題とする。
【０００８】
【課題を解決するための手段】
上記課題を解決するために、本発明のガス制御装置は、ガスバーナに通じるガス通路を開放保持する開弁位置とこのガス通路を閉鎖する閉弁位置との間で前後方向に移動自在な点消火ボタンを備え、この点消火ボタンの開弁位置で、最小ガス流量の燃料ガスがガスバーナに供給される最小位置と、最大ガス流量の燃料ガスがガスバーナに供給される最大位置との間の少なくともガス流量調節範囲内で回転自在なリング状の火力調節ダイヤルを点消火ボタンの周囲に設けたガス制御装置において、前記点消火ボタンの閉弁位置で、前記火力調節ダイヤルを前記ガス流量調節範囲を越えて回転自在とし、このガス流量調節範囲を越えた所定の位置にガスバーナの点火手段が作動しないロック位置を設け、少なくともロック位置から火力調節ダイヤルを回転させる場合、火力調節ダイヤルを一旦前後方向に移動させないと回転できないようにしたことを特徴とする。
【０００９】
本発明によれば、点消火ボタンの閉弁位置において火力調節ダイヤルはガス流量調節範囲を越えて回転自在であり、火力調節ダイヤルを一方に回転させるとロック位置に到達し、このロック位置では、ガスバーナの点火手段が作動せず、チャイルドロックされる。他方で、チィルドロックを解除する場合、火力調節ダイヤルを一旦前後方向に移動させ、火力調節ダイヤルを逆方向に回転させるとガス流量調節範囲まで戻り、チャイルドロックが解除できる。この場合、火力調節ダイヤルの逆方向への回転でチャイルドロックを解除できるものと比較してその解除が困難になり、安全性を高めることができる。
【００１０】
また、前記点消火ボタンの閉弁位置から開弁位置への移動経路に、ガスバーナの点火手段を作動させる点火位置を設け、前記ロック位置で、点消火ボタンの閉弁位置から点火位置への移動が制限されるようにして、チャイルドロックを実現することができる。
【００１１】
さらに、チャイルドロックされているか否を、視覚で簡単に判別できるように、前記ロック位置では、点消火ボタンに対し火力調節ダイヤルが前後方向にずれた状態になるようにするのがよい。
【００１２】
この場合、前記点消火ボタンの閉弁位置で、点消火ボタン及び火力調節ダイヤルの前方側の端面を略面一とし、ロック位置で、点消火ボタンが火力調節ダイヤルか前方側に突出するようにすれば、一目でロック状態を把握できてよい。
【００１３】
また、前記点消火ボタンの押込み操作で閉弁位置から開弁位置に移動するようにし、開弁位置で点消火ボタンが、火力調節ダイヤル内に侵入するようにすれば、ガス調理器具の状況に応じて点消火ボタンと火力調節ダイヤルとの位置関係が変わるため、その位置関係を見るだけでガスバーナの状況が離れた位置からでも簡単に把握できてよい。
【００１４】
【発明の実施の形態】
図１を参照して、１は、本発明のガス制御装置であり、このガス制御装置１は、ガス調理器具として例えばキッチンに設けた厨房家具に設置されるビルトイン式のガスコンロ２に組込まれる。ガスコンロ２は箱状のコンロ器体２１を有し、コンロ器体２１には、その上面を覆う天板２２に設けた３個の開口を臨むように３個のガスバーナ２３が設けられている。コンロ器体２１の前面の両端には、操作パネルである前面パネル２４が設けられている。また、コンロ器体２１には、両前面パネル２４の間に位置して、セラミックプレート式バーナ（図示せず）を設けたグリル２５が設けられている。そして、本発明のガス制御装置１によって３個のガスバーナ２３及びセラミックスプレート式バーナへの燃料ガスの供給が制御される。
【００１５】
図２を参照して、ガス制御装置１は、上下に重ねて連結した２個の部分１１ａ、１１ｂから構成されるバルブケーシングを有する。下側に位置するバルブケーシングの第１部分１１ａには、バルブケーシングの長手方向に沿って延びる第１内部通路１２ａが設けられ、第１内部通路１２ａに連通するガス流入部１３が開設されている。ガス流入部１３の下流側に位置して第１内部通路１２ａには電磁安全弁３が設けられている。電磁安全弁３はマグネットケース３１を有し、このマグネットケース３１には、例えばコンロ器体２１に設けた制御ユニット（図示せず）からの信号に基づいて励磁される電磁石とこれに吸着される吸着片とが収容されている。
【００１６】
吸着片にはマグネットケース３１から第１内部通路１２ａの下流側に向かって突出した第１弁体３２が連結されている。電磁安全弁３の閉弁状態では、第１弁体３２は、該第１弁体３２とマグネットケース３１との間に縮設したばね３３の付勢力によって、第１内部通路１２ａに設けた弁座部材３４の弁座に着座している。電磁安全弁３の開弁操作は、第１内部通路１２ａに挿設され、第１内部通路１２ａの長手方向に沿って前後方向に移動自在な操作ロッド４により行われる。操作ロッド４には第２弁体４１が設けられ、第２弁体４１は第１内部通路１２ａに形成した弁座４２と共に元弁を構成する。元弁の閉弁状態では、第２弁体４１は、第２弁体４１と弁座部材３４との間に縮設したばね４３により弁座４２に着座している。
【００１７】
操作ロッド４の前後方向の移動は、前面パネル２４に設けられる点消火ボタン５の押込み操作によって行われる。点消火ボタン５は略円筒形状に形成され、その第１内部通路１２ａ側の端面には押圧ロッド５１が連結され、この押圧ロッド５１は、第１部分の前方側に連結したケース部１１ｃ内を、点消火ボタン５の移動に伴って前後方向に移動して操作ロッド４を押圧する。押圧ロッド５１の下側には、案内部５１ａが連結され、この案内部５１ａの一端は、第１部分１１ａの下側に設けたハートカム機構５２に連結されている。
【００１８】
図２乃至図４に示すように、点消火ボタン５は、後述の火力調節ダイヤルと共に前面パネル２４から突出し、第１内部通路１２ａを閉鎖する閉弁位置（図２参照）から点火操作を行うために、コンロ器体２１内側に向かう方向である後方側（図２では右側）に点消火ボタン５を押込み操作すると、押圧ロッド５１を介して操作ロッド４が後方側に押込まれて元弁を開弁させた後、弁体３２を吸着片側に押しきると共に点火手段である放電ユニット（図示せず）が作動する点火位置まで移動する（図３参照）。点火位置から点消火ボタン５の押込みを解除すると、ハートカム機構５２で案内されて、コンロ器体２１外側に向かう方向である前方側（図３では左側）に移動して元弁を開弁保持して第１内部通路１２ａを開放した状態の開弁位置に到達する（図４参照）。消火操作を行うために開弁位置から点消火ボタン５をさらに押込み操作すると、ハートカム機構５２がリセットされて消火位置に戻される（図１及び図２に示す状態）。
【００１９】
元弁の上流側に位置して第１部分１１ａにはガス流出口１４が設けられ、ガス流出口１４は、第２部分１１ｂに設けた略Ｌ字形の第２内部通路１２ｂの一端と一致し、第１及び第２の各内部通路１２ａ、１２ｂがガス通路を構成する。第２部分１１ｂの外周面には、所定の間隔を置いて４個の第１、第２、第３及び第４の各連通路１５ａ、１５ｂ、１５ｃ、１５ｄが相互に隔絶して設けられている。各連通路１５ａ、１５ｂ、１５ｃ、１５ｄを介して、第２部分１１ｂの上部に連結したガス流出部１６と第２内部通路１２ｂとが連通している。そして、ガス流出部１６から流出した燃料ガスは、各ガスバーナ２３及びセラミックプレート式バーナの各混合管に燃料ガスを噴射するガスノズル（図示せず）へと供給される。この場合、ガスノズルへの燃料ガスのガス供給量を調節するため、第２内部通路１２ｂには流量調節手段６が設けられている。
【００２０】
図２及び図５を参照して、流量調節手段６は、第２内部通路１２ｂに回転自在に挿設した円筒形状の回転体６１を有する。回転体６１の外周面には、４本の円周方向の第１、第２、第３及び第４の各長溝６２ａ、６２ｂ、６２ｃ、６２ｄが、第１、第２、第３及び第４の各連通路１５ａ、１５ｂ、１５ｃ、１５ｄにそれぞれ対応させて形成されている。この場合、各長溝６２ａ、６２ｂ、６２ｃ、６２ｄの幅寸法は、各連通路１５ａ、１５ｂ、１５ｃ、１５ｄの孔径にそれぞれ一致させかつ円周方向にずらして形成している。また、各連通路１５ａ、１５ｂ、１５ｃ、１５ｄを通過してガス流出部１６へと流れる燃料ガスのガス流量を所定量に調節する４個のオリフィス孔６３ａ、６３ｂ、６３ｃ、６３ｄを形成したオリフィス部材６３を、各連通路１５ａ、１５ｂ、１５ｃ、１５ｄに一致させて第２部分１１ｂの上面に装着している。そして、回転体６１を回転させて各長溝６２ａ、６２ｂ、６２ｃ、６２ｄを各連通路１５ａ、１５ｂ、１５ｃ、１５ｄと適宜一致させ、一致した長溝６２ａ、６２ｂ、６２ｃ、６２ｄと連通路１５ａ、１５ｂ、１５ｃ、１５ｄとの数に応じてガス流出部１６へと流れる燃料ガスのガス流量が段階的に調節される。回転体６１の回転角の調節は、点消火ボタン５の周囲に設けたリング状の火力調節ダイヤル７により行われる。
【００２１】
図２、図６及び図７を参照して、火力調節ダイヤル７は、点消火ボタン５と共にコンロ器体２１の前面パネル２４から前方側に突出するように設けられる。点消火ボタン５の閉弁位置では、点消火ボタン５の外周面が火力調節ダイヤル７及び前面パネル２４内に隠れるように、点消火ボタン５と火力調節ダイヤル７との前方側の端面を略面一とし、点消火ボタン５の押込み操作で後方側の開弁位置に移動させると、点消火ボタン５が火力調節ダイヤル７の内に侵入するようにした。この場合、点消火ボタン５の外周面が常時火力調節ダイヤル７で隠れているため、調理時に煮こぼれが生じても火力調節ダイヤル７に煮汁がかかり難くなり、火力調節ダイヤル７に煮汁がかかっても、その周囲を伝って煮汁が下方に落下するだけで、点消火ボタン５の外周面に煮汁が侵入しない。このため、点消火ボタン５を伝って煮汁がガスコンロ２のコンロ器体２１内に侵入することが防止される。
【００２２】
火力調節ダイヤル７は、点消火ボタン５の外周面を覆う回転自在なつまみ部材７１と、回転体６１を回転させるダイヤル部材７２とを有する。ダイヤル部材７２の第１内部通路１１ａ側の端部は所定ピッチで歯切りされ、歯切した部分７２ａが第２部分１１ｂから突出した回転体６１の一端部に嵌合した歯車Ｇと噛合っている。これにより、ダイヤル部材７２の回転操作に連動して回転体６１が回転される。また、ダイヤル部材７２の他端部の外周面には、半径方向外側に延出させた一対の凹部７２ｂを相互に対向して２箇所形成している。
【００２３】
つまみ部材７１の第１内部通路１１ａ側の端部には、第１内部通路１１ａ側に延びる一対の突出片７１ａが相互に対向して設けられ、この一対の突出片７１ａから円周方向に所定の角度ずれた位置には、一対の爪片７１ｂが相互に対向して設けられている。そして、突出片７１ａを各凹部７２ｂ内に前後方向に摺動自在に係合させてつまみ部材７１とダイヤル部材７２とが組付けられる。この場合、つまみ部材７１の内周面に形成した段部７１ｃ（図２参照）とダイヤル部材７２との間にはばね７３が縮設され、このばね７３によってつまみ部材７１が前方側に向かって付勢され、一対の爪片７１ｂがダイヤル部材７２の前面側のつば部７２ｃに係止されることでつまみ部材７１が保持される。また、つまみ部材７１の前方側の外表面には、長手方向に延びる指標部材７１ｄが取付られ、、この指標部材と、前面パネル２４に設けたガスバーナ２３の火力ポジション表示Ｐ（図７（ａ）参照）との一致により、ガスバーナ２３の火力を指標する指標部を構成する。
【００２４】
図８乃至図１３を参照して、ダイヤル部材７２の後方側の内周面にはカム溝７２ｄが形成され、このダイヤル部材７２内を前後方向に移動する押圧ロッド５１の外周面には、カム溝７２ｄと対偶をなす２個の突起片５１ｂが設けられ（図６参照）、この突起片５１ｂが強制回転手段を構成する。この場合、カム溝７２ｄの壁面の高さは、点消火ボタン５の押込み操作につれて一方から他方に向かって低くなるように形成されている。そして、ガスバーナ２３の点火のため、閉弁位置から点消火ボタン５を押込み操作して開弁位置に到達すると、突起片５１ｂがカム溝７２ｄと係合し、この突起片５１ｂが原動節となって従動節であるカム溝７２ｄが形成されたダイヤル部材７２を回転させ、点消火ボタン５が点火位置に到達したときに、着火を確実にする流量の燃料ガスがガスバーナ２３に供給される位置まで回転される。図１２に示すように、本実施の形態では、強制回転手段５１ｂ、カム溝７２ｄによって火力調節ダイヤル７が点消火ボタン５の押込み操作で中火位置まで強制的に回転される。
【００２５】
この場合、点消火ボタン５の押込み操作を利用して火力調節ダイヤル７を回転させるので、例えば押圧ロッド５１と第１部分１１ａとの間に縮設したばね１７の付勢力を大きくする必要がなく、ガス制御装置１の構造を簡素化できる。また、電磁安全弁３を開弁するために点消火ボタン５の移動距離が長く設定される開弁位置と点火位置との間を、火力調節ダイヤル７の強制的な回転に流用しているため、必要な移動距離が短い閉弁位置と開弁位置との間の点消火ボタン５の移動距離に、火力調節ダイヤル７の強制的な回転のための距離を付加したものより、点消火ボタン５の前後方向の移動距離を短くできるため、操作感がよく、使い勝手がよい。
【００２６】
点火位置では、放電ユニットを作動させてガスバーナ２３が点火される。その後、点消火ボタン５の押込みを解除すると、ハートカム機構５２に案内されてばね１７の付勢力によって少し戻り、点消火ボタン５は開弁位置に到達する。開弁位置では、突起片５１ｂとカム溝７２ｄとの係合が解除され、ダイヤル部材７２が、時計方向または反時計方向に回転自在となる。この場合、火力調節ダイヤル７を、時計方向に回転させるとガス流量が絞られ、反時計方向に回転させるとガス流量が増加するように回転体６１が回転される。これにより、開弁位置での火力調節ダイヤル７の操作性は損なわず、調理者の回転操作感に悪影響を与えることはない。また、点消火ボタン５の押込みを解除したときの点消火ボタン５の戻りで突起片５１ｂとカム溝７２ｄとの係合が解除されるため、開弁位置で強制回転手段５１ｂが火力調節ダイヤル７のカム溝７２ｄに干渉しないようにする機構を別途設ける必要もないため、部品点数を増やす必要もない。
【００２７】
火力調節ダイヤル７の回転範囲を制限するため、ダイヤル部材７２のカム溝７２ｄを形成した箇所に、相互に対向する２個の凸部７２ｅが形成されている。火力調節ダイヤル７を回転させ、この凸部７２ｅに各突起片５１ｂが当接するまで反時計方向に回転させると、第２、第３及び第４の各長溝６２ｂ、６２ｃ、６２ｄが第２、第３及び第４の各連通路１５ｂ、１５ｃ、１５ｄにそれぞれ一致してガス流出部１６へのガス量が最大となるように回転体６１を配置している。他方で、この凸部７２ｅに各突起片５１ｂが当接するまで時計方向に回転させると、第１長溝６２ａが第１連通路１５ａとのみ一致し、ガス流出部１６へのガス量が最小となるようにしている。これにより、開弁位置では、火力調節ダイヤル７が、ガス流出部１６へのガス流量が最小となる最小位置（この場合、ガスバーナ２３の火力は小となる）と、ガス流量が最大となる最大位置（この場合、ガスバーナ２３の火力は強となる）との間のガス流量範囲内でのみ回転自在となる。この場合、火力調節ダイヤル７の回転範囲を制限するためのストッパ等を別個に設ける必要はなく、部品点数が減少して低コストにできる。点消火ボタン５の閉弁位置では、突起片５１ｂが、ダイヤル部材７２のカム溝７２ｄを形成した箇所より前方側に位置している。
【００２８】
ところで、ガス調理器具の安全性を考慮して、点消火ボタンの閉弁位置において、子供等が点消火ボタンを誤って操作してガスバーナが作動しないようにチャイルドロックできるのが望ましい。この場合、チャイルドロック機構用の操作部を別個に設けることなくチィルドロックが実現でき、その上、チャイルドロック簡単にセット、解除できないのがよい。本実施の形態では、点消火ボタン５の閉弁位置で火力調節ダイヤル７がガス流量調節範囲を越えて反時計方向に回転自在とし、このガス流量調節範囲を越えた所定の位置にガスバーナの点火手段が作動しないロック位置を設けた。また、ガス流量調節範囲とロック位置との間で火力調節ダイヤル７を回転させる場合、火力調節ダイヤル７を一旦後方側に移動させないと回転できないようにした。
【００２９】
図６、図７並びに及び図１３乃至１６を参照して、本実施の形態では、ガス流量調節範囲のうちガス流量が最大となる最大位置を除いた箇所において、つまみ部材７１の突出片７１ａの先端が当接して後方側への移動が規制されるように、規制壁１１１をケース部１１ｃの外周面に設け、つまみ部７１を最大位置まで回転させると（図７参照）、つまみ部材７１がばね７３の付勢力に抗して後方側に移動できるようにした（図１３参照）。この場合、火力調節ダイヤル７がガス流量調節範囲を越えて反時計方向に所定位置まで回転できる（図１４参照）。この状態で、つまみ部材７１の押し操作を解除すると、つまみ部材７１の突出片７１ａの内面に設けた凸部７１１が、ダイヤル部材７２の外周面に設けたストッパ７２１に係止され、つまみ部材７１が点消火ボタン５より後方側に移動した位置で保持される。
【００３０】
この場合、火力調節ダイアル７が回転不能となる（図１６参照）。また、図１７に示すように、突起片５１ｂが凸部７２ｅと対向し、点消火ボタン５を押込み操作しても、突起片５１ｂが凸部７２ｅの前面パネル２４手前側の面に当接して閉弁位置から点火位置に点消火ボタン５が移動できないロック位置が形成され、チャイルドロックされる。
【００３１】
これにより、チャイルドロック機構用の別個の操作部を設けることなく、火力調節ダイヤル７でチャイルドロックできる。また、火力調節ダイヤル７を一旦後方側に移動させなければ、最大位置とロック位置との間で火力調節ダイヤル７を回転できないため、チャイルドロックが簡単にセットしたり、解除したりできず、子供等が誤ってガスバーナ２３を作動させることが防止される。さらに、ロック位置では、つまみ部材７１が後方側に移動した状態で保持され、点消火ボタン５が火力調節ダイヤルから前方側に突出した状態になることで、調理者は、チャイルドロックされているか否を視覚で簡単に判別できる。本実施の形態では、開弁位置で点消火ボタン５が火力調節ダイヤル７内に侵入し、消火位置で、点消火ボタン５と火力調節ダイヤル７との前方側の端面が略面一となるため、ガス調理器具の使用状況に応じて点消火ボタン５と火力調節ダイヤル７との位置関係が変わるため、その位置関係を見るだけでガスバーナの使用状況が離れた位置からでも簡単に把握できる。
【００３２】
図６及び図１８を参照して、ダイヤル部材７２の前方側の内周面には、同一円周方向上で所定の間隔を置いて第１、第２及び第３の各凹部７２ｆ、７２ｇ、７２ｈが形成されている。点消火ボタン５の後方側の端部には、半径方向の孔５３が形成され、この孔５３には、円筒形状のクリック部材Ｃがダイヤル部材７２の内周面に向かってばねＣ１で付勢させた状態で収納されている。そして、開弁位置で、火力調節ダイヤル７を回転させて所定の位置に到達すると、凹部７２ｆ、７２ｇ、７２ｈにクリック部材Ｃが嵌合してクリックを発生する。
【００３３】
次に、本発明のガス制御装置１の作動を説明する。図２に示す閉弁位置から点消火ボタン５の押込み操作すると、押圧ロッド５１を介して操作ロッド４を後方側に押圧して元弁を開弁させ、図３に示す開弁位置に到達すると突起片５１ｂとカム溝７２ｄとが係合し、弁体３２を吸着片側に押しきる点火位置に到達する前に、火力調節ダイヤル７が中火位置まで回転される。この場合、回転体６１が歯車Ｇを介して回転されて、第１、第２及び第３の各長溝６２ａ、６２ｂ、６２ｃが第１、第２及び第３の各連通路１５ａ、１５ｂ、１５ｃにそれぞれ一致し、ガスバーナ２３の火力を中とするガス流量の燃料ガスがガス流出部１６へ流れる（図５参照）。また、クリック部材Ｃは第２の凹部７２ｇに嵌合している（図１８参照）。
【００３４】
点火位置に到達すると、放電ユニットによってガスバーナ２３の点火操作が行われる。そして、ガスバーナ２３の近傍に設けた火炎検出素子（図示せず）がガスバーナ２３の火炎を検出すると、制御ユニットからの信号で電磁弁３が励磁されて開弁保持される。ガスバーナ２３が着火したことを確認して点消火ボタン５の押込みを解除すると、点消火ボタン５は、ハートカム機構５２に案内されて図３に示す開弁位置に到達する。
【００３５】
ガスバーナ２３の火力を強めるため、中火位置から反時計方向に回転させ、クリック部材Ｃは第３の凹部７２ｈに嵌合すると、凸部７２ｅに各突起片５１ｂが当接する。この場合、第２、第３及び第４の各長溝６２ｂ、６２ｃ、６２ｄが第２、第３及び第４の各連通路１５ｂ、１５ｃ、１５ｄにそれぞれ一致し、ガスバーナ２３の火力を強とするガス流量の燃料ガスがガス流出部１６へ流れる（図１９参照）。
【００３６】
他方で、中火からガスバーナ２３の火力を絞るため、火力調節ダイヤル７を時計方向に回転させ、クリック部材Ｃは第１の凹部７２ｆに嵌合すると、第１及び第２の各長溝６２ａ、６２ｂが第１及び第２の各連通路１５ａ、１５ｂにそれぞれ一致し、ガスバーナ２３の火力を弱とするガス流量の燃料ガスがガス流出部１６へ流れる（図２０参照）。次いで、凸部７２ｅに各突起片５１ｂが当接するまで火力調節ダイヤル７を時計方向に回転させると、第１長溝６２ａが第１連通路１５ａとのみ一致し、ガスバーナ２３の火力を小とする最小ガス流量の燃料ガスがガス流出部１６へ流れる（図２１参照）。
【００３７】
ガスバーナ２３を消火する場合、開弁位置から後方側に点消火ボタン５を押込み操作すると、ハートカム機構５２がリセットされ、点消火ボタン５は、ばね１７の付勢力を受けて図２に示す閉弁位置まで後退する。この場合、押圧ロッド５１の押圧が解除された操作ロッド４は、ばね３４の付勢力を受けて前方側に移動し、元弁を閉弁する。元弁が閉弁されるとガスバーナ２３への燃料ガスの供給が停止されて消火される。火炎検出素子によって火炎が消えたことを制御ユニットが認識すると電磁安全弁３が閉弁される。
【００３８】
閉弁位置では、火力調節ダイヤル７を最大位置まで回転させると、火力調節ダイヤル７は、その押し操作で後方側に移動自在になり、所定位置まで移動させると反時計方向に回転自在となる。そして、所定位置まで回転させた後、押し操作を解除すると、火力調節ダイヤル７がロック位置に到達し、チャイルドロックされる。
【００３９】
【発明の効果】
以上説明したように本発明のガス制御装置は、チャイルドロック機構用の別個の操作部を設けることなく、火力調節ダイヤルでチャイルドロックできるようになると共に、チャイルドロックを簡単に解除できないという効果を奏する。
【図面の簡単な説明】
【図１】本発明のガス制御装置を組込んだガスコンロの斜視図
【図２】閉弁位置にある本発明のガス制御装置の断面図
【図３】点火位置にある本発明のガス制御装置の断面図
【図４】開弁位置にある本発明のガス制御装置の断面図
【図５】回転体を説明する斜視図
【図６】点消火ボタンと火力調節ダイヤルとの構成を説明する分解斜視図
【図７】（ａ）及び（ｂ）は、火力調節ダイヤルを説明する図
【図８】消火位置における強制回転手段を説明する図
【図９】消火位置における強制回転手段を説明する図
【図１０】点火位置における強制回転手段を説明する図
【図１１】点火位置における強制回転手段を説明する図
【図１２】強制回転手段による火力調節ダイヤルの強制的な回転を説明する図
【図１３】（ａ）及び（ｂ）は、チャイルドロックする場合の火力調節ダイヤルの操作を説明する図
【図１４】（ａ）及び（ｂ）は、チャイルドロックする場合の火力調節ダイヤルの操作を説明する図
【図１５】（ａ）及び（ｂ）は、チャイルドロックする場合の火力調節ダイヤルの操作を説明する図
【図１６】チャイルドロックする場合の火力調節ダイヤルの操作を説明する展開図
【図１７】（ａ）及び（ｂ）は、点消火ボタンのロック位置を説明する図
【図１８】流量調節ダイヤルを回転させて中火位置に到達した場合のクリックの発生を説明する図
【図１９】（ａ）及び（ｂ）は、流量調節ダイヤルを回転させて強火位置に到達した場合を説明する図
【図２０】（ａ）及び（ｂ）は、流量調節ダイヤルを回転させて弱火位置に到達した場合を説明する図
【図２１】（ａ）及び（ｂ）は、流量調節ダイヤルを回転させて小火力位置に到達した場合を説明する図
【符号の説明】
１  ガス制御装置
５  点消火ボタン
７  火力調節ダイヤル
【図１】
2004333049.tif 000003
【図２】
2004333049.tif 000004
【図３】
2004333049.tif 000005
【図４】
2004333049.tif 000006
【図５】
2004333049.tif 000007
【図６】
2004333049.tif 000008
【図７】
2004333049.tif 000009
【図８】
2004333049.tif 000010
【図９】
2004333049.tif 000011
【図１０】
2004333049.tif 000012
【図１１】
2004333049.tif 000013
【図１２】
2004333049.tif 000014
【図１３】
2004333049.tif 000015
【図１４】
2004333049.tif 000016
【図１５】
2004333049.tif 000017
【図１６】
2004333049.tif 000018
【図１７】
2004333049.tif 000019
【図１８】
2004333049.tif 000020
【図１９】
2004333049.tif 000021
【図２０】
2004333049.tif 000022
【図２１】
2004333049.tif 000023